(57)【要約】      （修正有）【課題】水滴拭き取り面積を広く確保して拭き取り作業に少ない労力と時間で作業効率よく行うことのできる洗車用水滴吸水シートを提供する。【解決手段】洗車後の車体に付着している水滴を吸収するシートであり、折り畳み可能シートに水滴吸収用具を取り付けたものを車両にあてておくだけで一気に広範囲の水滴を吸収することにより水滴の拭き取り作業の効率を向上させる。面ファスナーを側面に付けることによりシート同士の連結を可能にし更に広範囲の水滴吸収を行うことができる。【選択図】図１
0003230467.tif 000002
【実用新案登録請求の範囲】
【請求項１】
洗車後の車体に付着している水滴を吸収するシートであり、折り畳み可能シートに水滴吸収用具を取り付けたものを車両にあてておくだけで一気に広範囲の水滴を吸収することにより水滴の拭き取り作業の効率を向上させることを特徴とした洗車用水滴吸シート
【請求項２】
マジックテープ（登録商標）を側面に付けることによりシート同士の連結を可能にし更に広範囲の水滴吸収を行うことのできる洗車用水滴吸収シート
【考案の詳細な説明】
【技術分野】
【０００１】
本考案は、洗車後に自動車の車体に付着している水滴の拭き取り作業を高めるための対策を講じた洗車用水滴吸水シートに関する。
【背景技術】
【０００２】
自動車の洗車後、車体に残った水滴の拭き取りに使用されている従来の洗車用タオルなどの水滴拭き取り用具は、吸水性の高い素材や傷が付きにくい素材などが開発されることがあった。（たとえば、特許文献１参照）しかし、作業効率の良い形状に改良されることが無かった。
【０００３】
タオルなどの水滴拭き取り用具を用いて一人で拭き取り作業を行う場合、水滴拭き取り用具を一定の大きさに折り畳んで使用するか、または水滴拭き取り用具の両端を丁寧に広げながら作業を行う必要があり、水滴を拭き上げるための作業効率が低かった。また、水滴拭き取り用具を絞って再度拭き取りを行うという作業の繰り返しが必要となるため、労力を伴い大変手間であった。
【０００４】
そこで水滴拭き取り用具の実作業面積を広く確保して水滴の吸収または拭き取るための作業効率を高めることを目的とする洗車用タオルが提案されている。（実用新案登録第３１６６１４４号）また、2人の作業者によって一気に水滴拭き取り作業を行うことができる洗車用吸水性クロスが提案されている。（実用新案登録第３１４６０１３号）
【０００５】
本考案は上記の考案に比べ、更に広範囲の吸水面積を確保して一気に水滴を吸収することにより、少ない労力と時間で作業性よく水滴を拭き取る洗車用水滴吸水シートを提供することを目的とする。
【先行技術文献】
【特許文献】
【０００６】
【特許文献１】特開２００４−００８５０１号公報
【特許文献２】実用新案登録第３１６６１４４号
【特許文献３】実用新案登録第３１４６０１３号
【考案の概要】
【考案が解決しようとする課題】
【０００７】
洗車後の自動車の車体に付着している水滴を拭き取る作業には多くの労力と共に時間が費やされてしまう。従来の水滴拭き取り用具を用いる水滴拭き取り作業ではある程度水滴を吸水した後に手で絞り、再度拭き上げ作業を行うという作業工程を繰り返す必要があり、広い範囲の水滴を拭き取る作業性を高めることに困難があった。
【課題を解決するための手段】
【０００８】
本考案に係る洗車用水滴吸水シートは、以上の状況の下でなされたものであり、水滴拭き取り面積を広く確保して一気に水滴の吸収をすることにより拭き取り作業に少ない労力と時間で作業性よく行うことのできる洗車用水滴吸水シートを提供することを目的とする。
【０００９】
本考案は折り畳んだ水滴吸収シートを車体の上に広げることで広範囲の水滴吸収を行う。
【００１０】
本考案にはマジックテープ（登録商標）を側面に付けておりシート同士を連結して大きく広範囲な水滴吸収を可能にする。（図１参照）
【００１１】
本考案は折り畳み可能シートに水滴吸収用具を取り付けているため、大きく広げやすく広範囲の水滴吸収が出来る。
【００１２】
また、ジャバラ折り仕様となっており、コンパクトに収納できることを特徴とする。（図２、図３参照）
【考案の効果】
【００１３】
本考案に係る洗車用水滴吸水シートは絞らなくても良いので手間が掛からない。
【００１４】
折り畳み水滴吸収シートを広げて車体に乗せることで実作業面積を多く確保し、広範囲の水滴を一気に吸水するため、時短となり作業効率が大きく向上する。
【００１５】
また、マジックテープ（登録商標）によって同シート同士を連結可能にすることにより、より多くの面積の水滴を一気に吸収することができる。
【００１６】
手の届きにくい車屋根部分などの水滴吸収が可能となる。
【図面の簡単な説明】
【００１７】
【図１】図１は本考案の一実施形態に係る洗車用水滴吸水シートを広げた状態を示す図である。マジックテープ（登録商標）により複数のシートを組み合わせ、拭き取り範囲を広げることが可能である。
【図２】図２は本考案の一実施形態に係る洗車用水滴吸水シートを少し縮めた状態を示す図である。
【図３】図３は本考案の一実施形態に係る洗車用水滴吸水シートを折り畳んだ状態を示す図である。
【図１】
0003230467.tif 000003
【図２】
0003230467.tif 000004
【図３】
0003230467.tif 000005
【手続補正書】
【提出日】令和2年11月13日(2020.11.13)
【手続補正１】
【補正対象書類名】実用新案登録請求の範囲
【補正対象項目名】全文
【補正方法】変更
【補正の内容】
【実用新案登録請求の範囲】
【請求項１】
洗車後の車体に付着している水滴を吸収するシートであり、折り畳み可能シートに水滴吸収用具を取り付けたものを車両にあてておくだけで一気に広範囲の水滴を吸収することにより水滴の拭き取り作業の効率を向上させることを特徴とした洗車用水滴吸収シート。
【請求項２】
面ファスナーを側面に付けることによりシート同士の連結を可能にし更に広範囲の水滴吸収を行うことのできる請求項1に記載の洗車用水滴吸収シート。 
【手続補正２】
【補正対象書類名】明細書
【補正対象項目名】００１０
【補正方法】変更
【補正の内容】
【００１０】本考案には面ファスナーを側面に付けておりシート同士を連結して大きく広範囲な水滴吸収を可能にする。（図１参照）
【手続補正３】
【補正対象書類名】明細書
【補正対象項目名】００１５
【補正方法】変更
【補正の内容】
【００１５】また、面ファスナーによって同シート同士を連結可能にすることにより、より多くの面積の水滴を一気に吸収することができる。
【手続補正４】
【補正対象書類名】明細書
【補正対象項目名】００１７
【補正方法】変更
【補正の内容】
【００１７】
【図１】図１は本考案の一実施形態に係る洗車用水滴吸水シートを広げた状態を示す図である。面ファスナーにより複数のシートを組み合わせ、拭き取り範囲を広げることが可能である。
【図２】図２は本考案の一実施形態に係る洗車用水滴吸水シートを少し縮めた状態を示す図である。
【図３】図３は本考案の一実施形態に係る洗車用水滴吸水シートを折り畳んだ状態を示す図である。
【手続補正６】
【補正対象書類名】図面
【補正対象項目名】全図
【補正方法】変更
【補正の内容】
【図１】
0003230467.tif 000006
【図２】
0003230467.tif 000007
【図３】
0003230467.tif 000008